(57)【要約】自動体外式除細動器用の１つ又はそれ以上の電極を保管するための装置はキャビティ(21)と蓋(11)とを有する。キャビティ(21)は電極を収容し、垂直面を含む。蓋はキャビティに取り外し可能に取り付けられ、蓋がキャビティに取り付けられたときに、少なくとも１つの突起部が頂部側端面に形成された孔に延出する。ハンドル(13)がカム面(34)を有する蓋に回転可能に取り付けられ、カム面はリッジ(33)と係合することによって、ハンドルが回転されるときに、蓋(11)とキャビティ(21)との間を分離する。封止(41)が底部に固着され、頂部側端面に取り外し可能に固着される。同時に、ハンドルが回転されるにつれて、封止が頂部側端面から剥離される。
2006503633.tif 000002
【特許請求の範囲】
【請求項１】
１つ又はそれ以上の電極を収容するキャビティと、該キャビティに取り外し可能に取り付けられた蓋とを有し、
前記キャビティは、
少なくとも１つの垂直面と、
該少なくとも１つの垂直面に接触し、少なくとも１つの孔を備えた第一端部を有する頂部側端面と、
前記キャビティの前記少なくとも１つの垂直面から水平方向に延びる少なくとも１つのリッジとを有し、
前記蓋は、
前記キャビティの前記頂部側端面に面する底部面と、
前記蓋が前記キャビティに取り付けられたときに、前記頂部側端面の前記少なくとも１つの孔に延出する少なくとも１つの突出部とを有し、
前記少なくとも１つの孔及び前記少なくとも１つの突出部は、前記蓋及び前記キャビティの蝶着端に、蝶番構造を形成し、
前記蓋は、
前記蝶着端の反対側で、前記蓋に対し回転可能に取り付けられ、カム面を有するハンドルをさらに有し、
前記カム面が前記少なくとも１つのリッジと係合することによって、前記ハンドルが閉鎖位置から開放位置に回転されるときに、前記蓋と前記キャビティとの間が分離されることを特徴とする自動体外式除細動器用の１つ又はそれ以上の電極を保管するための装置。
【請求項２】
前記蓋の前記底部面に固着され、前記キャビティの前記頂部側端面に取り外し可能に固着された封止をさらに有し、該封止は、前記蓋が前記キャビティに取り付けられたときに、前記キャビティと共に、電極を配置する封止筐体を形成することを特徴とする請求項１に記載の装置。
【請求項３】
前記ハンドルが前記閉鎖位置から前記開放位置に回転されたときに、前記封止が前記キャビティの前記頂部側端面から同時に剥離されることを特徴とする請求項２に記載の装置。
【請求項４】
前記キャビティは、電極収容時に、電極を取り付ける取付ブラケットを有することを特徴とする請求項１に記載の装置。
【請求項５】
前記蓋及び前記キャビティは剛性材料から形成されていることを特徴とする請求項１に記載の装置。
【請求項６】
前記蓋及び前記キャビティは半剛性材料から形成されていることを特徴とする請求項１に記載の装置。
【請求項７】
前記電極が当該装置に収容されているときに、前記電極を自動体外式除細動器に結合するための１つ又はそれ以上のワイヤをさらに有し、該ワイヤは、前記取付ブラケットで前記電極に結合されていることを特徴とする請求項１に記載の装置。
【請求項８】
第一端部を有する容器と、前記第一端部の反対側の端部で前記容器に回転可能に取り付けられたハンドルとを有し、
前記容器は、頂部と、底部と、１つ又はそれ以上の電極を収容するためのキャビティと、前記容器から水平方向で外方に延びる少なくとも１つの横方向リッジと、前記第一端部に配置された蝶番とを有し、
前記ハンドルは、前記少なくとも１つの横方向リッジと接触するカム面を有し、
前記ハンドルが閉鎖位置から開放位置に回転されるときに、該カム面は前記少なくとも１つのリッジと係合し、前記頂部と前記底部との間を分離することを特徴とする自動体外式除細動器用の１つ又はそれ以上の電極を保管するための装置。
【請求項９】
前記頂部と前記底部との間に配置された使い捨て封止を有することを特徴とする請求項８に記載の装置。
【請求項１０】
前記頂部と前記底部との間を分離するために前記ハンドルが前記閉鎖位置から前記開放位置に回転されるにつれて、前記使い捨て封止が同時に開封されることを特徴とする装置。
【請求項１１】
容器と、機械的な利点を備えたアクチュエータとを有し、
前記容器は、頂部と、底部と、１つ又はそれ以上の電極を収容するキャビティと、前記容器から外方に延びる少なくとも１つの横方向リッジとを有し、
前記アクチュエータが操作されたときに、前記アクチュエータは前記頂部と前記底部との間を分離することを特徴とする自動体外式除細動器用の１つ又はそれ以上の電極を保管するための装置。
【請求項１２】
前記頂部と前記底部との間に配置された使い捨て封止をさらに有することを特徴とする請求項１１に記載の装置。
【請求項１３】
前記アクチュエータが操作されて前記頂部と前記底部との間を分離するときに、前記使い捨て封止が同時に破断されることを特徴とする請求項１２に記載の装置。
【請求項１４】
前記容器は剛性容器を有することを特徴とする請求項１１に記載の装置。
【請求項１５】
前記容器は半剛性容器を有することを特徴とする請求項１１に記載の装置。
【請求項１６】
自動体外式除細動器用の１つ又はそれ以上の電極を保管する方法であって、
封止された容器内に複数の電極を取り付けるステップと、
前記複数の電極を前記自動体外式除細動器に結合するステップと、
前記複数の電極が前記封止された容器内に収容されているときに、前記複数の電極間のインピーダンスを監視するステップと、
からなる方法。
【請求項１７】
前記封止された容器を開放するための機械的利点を備えたハンドルを使用するステップをさらに有することを特徴とする請求項１６に記載の方法。
【請求項１８】
前記容器が開放されるにつれて、同時に封止を破断するステップをさらに有することを特徴とする請求項１７に記載の方法。
【請求項１９】
前記容器の前記頂部を前記容器の前記底部から分離するときに、前記封止された容器から封止を除去するステップをさらに有することを特徴とする請求項１７に記載の方法。
【請求項２０】
前記封止された容器の開放又は閉鎖を監視するステップをさらに含むことを特徴とする請求項１６に記載の方法。
【発明の詳細な説明】
【技術分野】
【０００１】
本発明は自動体外式除細動器に関し、より詳細には、自動体外式除細動器で用いられる電極を詰込及び保管するための方法及び装置に関する。
【背景技術】
【０００２】
自動体外式除細動器（ＡＥＤ）がより広範に入手可能になったのに伴い、使用者人口の多様性も増大している。従って、電極容器を設計する場合には、広範な体力及び器用さを考慮に入れなければならない。過去、ＡＥＤの主要な利用者は、高度に訓練された緊急医療要員であった。業務の過酷性の故に、これらの専門家たちは平均的な通常人と比べ概ね身体的により適合していた。現在、使用者人口は封止された医療用の電極容器を開放するための力や器用さを有しない可能性のある人々（例えば高齢者）を含むが、彼らは開放できなければＡＥＤを使用することができない。電極容器を開放できないことは、ＡＥＤを使用するに際しての、特に、これらの装置が典型的に用いられる高ストレス状態においての克服し難い障害である。それ故、これらの装置の市場は限定されたままである。さらに、同様の理由で、容器の選択肢も限定されている。
【発明の開示】
【発明が解決しようとする課題】
【０００３】
従って、本発明は医療用の電極容器の開放を容易にするために、限定的な体力及び器用さを有する人々でも、これらの容器を開放することができる方法及び装置を開発するという問題点に向けられている。
【課題を解決するための手段】
【０００４】
本発明は、とりわけ、封止された電極容器を開放するときに機械的な利点をもたらすハンドルを設けることによって、これら及び他の問題点を解決する。
【０００５】
本発明の他の可能な実施態様は、容器の蓋と一体となったトラックに取り付けられた刃を含む。
【０００６】
本発明のさらに他の可能な実施態様は、ロール状の硬質キャンディを開けるのに類似する、封止材料に組み込まれたワイヤ若しくはストリングであり、引っ張られると封止を切り裂き容器を開放する。
【０００７】
本発明のさらに他の可能な実施態様は、剛的な蓋又はフレーム上に配置された鋭利な先端部であり、裂け目をつけるために封止材料に穴を開ける。
【０００８】
本発明のさらに他の可能な実施態様は、ポップナッツ又はロースとナッツの入った缶を開けるのに用いられるタブのように作用する機能である。この実施態様は、ロール封止型の蓋に適切であろう。
【０００９】
電極容器を開放するのに機械的補助を提供することによって、ＡＥＤの市場の可能性が拡大されると共に、容器を適用する選択肢が増大する。
【００１０】
本明細書における「実施態様」という用語は、当該実施態様との関連で記載されている特定の機能、構造又は特徴が本発明の少なくとも１つの実施態様に含まれていることを意味することが十分に留意されるべきである。本明細書中の様々な場所における「実施態様において」という用語は必ずしもいつも同一の実施態様を指している訳ではない。
【００１１】
本発明の１つの特徴によれば、自動体外式除細動器用の１つ又はそれ以上の電極を保管するための装置は、キャビティと、蓋とを含む。本明細書中の幾つかの実施態様において、使い捨て封止がキャビティと蓋との間に形成されている。
【００１２】
封止されたキャビティは1つ又はそれ以上の電極を収容するためである。電極のパッキングを単純化するために、予成形された取付部をキャビティ内に配置し得る。1つ又はそれ以上の垂直側面が封止されたキャビティを形成する。キャビティは四角形、三角形又は任意の断面形状であり得る。よって、垂直側面の数は１つ、２つ、３つ、４つ又はそれ以上であり得る。例えば、円筒構造の場合、本質的に１つの垂直面があるだけである。しかしながら、ボックス構造の場合には、３つの垂直側面がある。
【００１３】
垂直側面に対し直交して延びる頂部側端面は垂直側面と接触し、キャビティを完全に囲む。使い捨て封止が頂部側端面に付着することで、封止されたキャビティを形成する。
【００１４】
少なくとも１つのリッジがキャビティの少なくとも１つの垂直面から横方向に延びる。第二リッジが第一リッジと反対側のキャビティ上に配置され得る。円筒構造の場合には、第二リッジは第一リッジから約１８０度離間して配置され得る。
【００１５】
蝶番構造がキャビティの一端に形成されている。蝶番構造は、キャビティのリップ部又は蓋に形成された１つ又はそれ以上の孔と、蓋又はキャビティのリップ部に形成された対応する突起部とをそれぞれ含む。
【００１６】
使い捨て封止は蓋の底部面に固着され、キャビティの頂部側端面に取り外し可能に固着されることで、キャビティに封止された筐体を形成し、蓋がキャビティに取り付けられたときに、封止された筐体内に電極が配置される
【００１７】
軸が蓋の蝶番構造と反対側の端部に配置される。軸は蓋に付着する単一のロッド又は２つのピンであり得る。
【００１８】
ハンドルが軸（又は２つのピン）を介して蓋に取り付けられる。ハンドルは軸（又は２つのピン）の周りで回転可能である。ハンドルはカム面を有し、ハンドルが軸周りで回転するときに、カム面は１つ又はそれ以上のリッジと係合することで、蓋とキャビティとを分離し、同時に、ハンドルが閉鎖位置から開放位置に回転されるにつれて、キャビティの頂部側端面から使い捨て封止を剥離する。
【００１９】
本発明の他の特徴によれば、自動体外式除細動器用の１つ又はそれ以上の電極を保管するための装置は、容器と、ヒンジ構造と、ハンドルとを含む。
【００２０】
容器は、頂部と、底部と、1つ又はそれ以上の電極を収容するキャビティとを含む。使い捨て封止が頂部と底部との間に配置される。少なくとも1つの横方向リッジが容器から外方に延びる。
【００２１】
蝶番構造は容器の第一端部に配置される。任意の蝶番構造がこの目的に適う。
【００２２】
ハンドルが第一端部と反対側で容器に回転可能に取り付けられる。ハンドルは少なくとも１つの横方向リッジと接触するカム面を含む。ハンドルが閉鎖位置から開放位置に回転するときに、カム面はリッジと係合し、頂部と底部とを分離し、同時に、使い捨て封止を除去或いは開封する。
【００２３】
本発明のさらに他の特徴によれば、自動体外式除細動器用の１つ又はそれ以上の電極を保管するための装置は、容器と、機械的な利点を備えたアクチュエータとを含む。
【００２４】
アクチュエータは、頂部と、底部と、1つ又はそれ以上の電極を収容するキャビティとを含む。使い捨て封止は頂部と底部との間に配置される。少なくとも1つの横方向リッジが容器から外方に延びる。
【００２５】
アクチュエータが操作されるときに、機械的な利点を備えたアクチュエータは頂部と底部とを分離し、同時に、使い捨て封止を除去する。機械的な利点を備えたアクチュエータの例は、封止された容器を開放する人に機械的な利点をもたらすカムを備えたハンドルを含む。他の例は、封止された容器と一体的に形成されたトラックに取り付けられた刃、引っ張られると封止を切り裂き容器を開放するよう封止材料に組み込まれたワイヤ若しくはストリング、裂け目をつけるために封止材料に穴を開けるよう剛的な蓋若しくはフレーム上に配置された鋭利な先端部又はロール封止型の蓋に適切であろうポップナッツ又はローストナッツの入った缶を開けるのに用いられるタブのように作用する機能である
【発明を実施するための最良の形態】
【００２６】
図1を参照すると、本発明の特徴に従った自動体外式除細動器のために電極を保管及び運搬するためのカートリッジアセンブリの例示的な実施態様１０の斜視図が示されている。この実施態様１０は蓋１１とトレイ１２とを含み、トレイ１２から蓋１１を取り外すために、ハンドル１３がトレイに取り付けられている。電極はトレイ１２内に保管されている。ハンドル１３は使用者に機械的な利点をもたらすことで、封止された医療用の電極容器を開放するのに必要な体力及び手先の器用さを無視可能なレベルまで低減する。
【００２７】
トレイ及び蓋によって形成された容器は剛性又は半剛性材料によって構成され得る。典型的には、この材料は電極のために長年に亘って湿気環境を維持するのに十分でなければならない。電極が乾くと、電極のインピーダンスが増大し、よって、電極の適用地点での電流出力に影響を及ぼし、電極及びＡＥＤの効果を低減する。従って、材料は、数ミリメートルの厚みのアルミニウム又は類似材料のように、水障壁を維持できるようなものでなければならない。
【００２８】
図２を参照すると、カートリッジトレイ１２の斜視図が示されており、トレイは電極を保管する。キャビティ２１がパッドと電極とを保管するためのスペースを提供している。電極を保管するための成形された保管スペース２２が中央に設けられ、使用者は電極をきちんと整然とした状態で詰め込むことができる。２つの孔２３ａ、ｂが蓋の蝶番構造の一部を構成している。熱封止膜（図示せず）が蓋１１と接触する面２４に適用されている。同様に、熱封止膜（同様に図示せず）が蓋アセンブリ１１に取り付けられている。蓋１１がカートリッジ１２から取り外されるときに、熱封止膜は剥離されることによって、パッドを剥き出しにする。
【００２９】
図３を参照すると、蓋１１が閉塞位置にあるカートリッジアセンブリ１０の側面図が示されている。旋回地点３１によって、蓋１１は一端で開放可能とされている。側部３２は剛性面３３を有し、ハンドル１３上のカム３４がその面に沿って開放力を伝達し、蓋１１をカートリッジ１２から分離する。側部３２に取り付けられた軸３５によって、動作中、ハンドル１３は軸３５の周りを回転する。ハンドル１３は旋回地点３１に向かって上方に引き上げられる。類似の構造が図３に示される側部の反対側の側部に存在することで、対称的なハンドル構造及び操作が得られる。
【００３０】
図４を参照すると、ハンドル１３が完全閉鎖位置から部分的開放位置に移動された状態のカートリッジアセンブリ１０が示されている。図４に見られるように、ハンドル１３が旋回地点３１に向かって上方に引き上げられるにつれて、カム３４は剛性面３３に沿って回転する。剛性面３３と接触するカム面上の地点は、カム３４の回転中に剛性面３３と接触するカム３３面の長さの約１／３〜１／２である。蓋１１がカートリッジアセンブリ１２から取り外されるにつれて、熱封止膜４１が剥き出しにされ、熱封止膜の初期剥離が開始する。蓋１１がカートリッジアセンブリ１２から取り外されるにつれて、膜４１は蓋１１に付着し、カートリッジアセンブリの表面２４から引き剥がされる。軸３５は約１５〜３０度回転される。
【００３１】
図５を参照すると、ハンドル１３が図４の位置からより開放位置に移動された状態のカートリッジアセンブリ１０が示されている。図５に見られるように、ハンドル１３が旋回地点３１に向かって上方に引き上げられるにつれて、カム３４は、剛性面３３に沿って、剛性面３３に沿って滑動するカム面の最終地点まで回転する。熱封止膜４１は今やさらに剥き出しにされ、さらなる熱封止膜の剥離が起こる。図５において、軸３５は約９０度回転されている。この時点では、ハンドルが引かれると、膜４１は表面２４から剥離される。この頃には、表面２４から膜４１を分離する力のみが求められるため、カートリッジアセンブリを開放するのに要する努力は最低限である。アセンブリ１０を開放するのに必要な力の大部分はカートリッジ１２からの蓋１１の初期分離だからである。それはハンドル及びカムによって無視可能なレベルに低減されている。
【００３２】
図６を参照すると、ハンドル１３が図５の位置からほぼ完全な開放位置に移動された状態のカートリッジアセンブリ１０が示されている。図６に見られるように、ハンドル１３が旋回地点１３に向かって上方に引き上げられると、カム３４は最早剛性面３３と接触していない。熱封止膜４１は今やさらに剥き出しにされ、熱封止膜４１のさらなる剥離が起こる。図６において、軸３５は図５に示されている以上には回転されない。ハンドルは今や熱封止膜４１を単に表面２４から引き離すために用いられているので、さらなる回転は必要ではない。
【００３３】
このように、本発明は封止された医療用の電極容器を開放するのに必要とされる体力及び手先の器用さを低減する。封止は今や、もし本発明によらなければ人的要因を容易化するため必要であった強度又は他の物理的特性についての妥協なしに設計できる。さらに、極めて広範囲の封止方法が今や可能である。
【００３４】
代替的な実施態様において、熱封止膜はカバーと別体である。よって、カバーを取り外した後、例えばプルタブを引っ張って、熱封止膜を別途取り外されなければならない。熱封止膜を取り外すための他の標準的な技術も用い得る。
【００３５】
本明細書において多様な実施態様が特別に例示され記載されているが、本発明の変更及び変形は上述の教示の範囲内であり、本発明の精神及び意図された範囲から逸脱しない範囲で添付の請求項の範囲内であることが理解されよう。例えば、上記の記載は、封止された医療用の電極容器を開放する人に機械的な利点をもたらすハンドル及びカムに関するが、他の可能な実施例も用い得る。例えば、容器の蓋と一体的に形成されたトラックに取り付けられた刃、引っ張られると封止を切り裂き容器を開放するよう封止材料に組み込まれたワイヤ若しくはストリング、裂け目をつけるために封止材料に穴を開けるよう剛的な蓋若しくはフレーム上に配置された鋭利な先端部又はロール封止型の蓋に適切であろうポップナッツ又はローストナッツの入った缶を開けるのに用いられるタブのように作用する機能である。さらに、これらの実施例は請求項によって保護される本発明の変更又は変形を限定するように解釈されるべきではなく、考え得る変形を単に例示するに過ぎない。
【図面の簡単な説明】
【００３６】
【図１】本発明の１つの特徴に従った自動体外式除細動器用の電極を保管及び運搬するためのカートリッジアセンブリの例示的な実施態様を示す斜視図である。
【図２】本発明の他の特徴に従って図１の下側半分を示す斜視図である。
【図３】本発明の他の特徴に従って閉鎖位置にある図１の実施態様を示す側面図である。
【図４】本発明の他の特徴に従って図１の実施態様から蓋を取り外す動作を連続的に示す側面図である。
【図５】本発明の他の特徴に従って図１の実施態様から蓋を取り外す動作を連続的に示す側面図である。
【図６】本発明の他の特徴に従って図１の実施態様から蓋を取り外す動作を連続的に示す側面図である。
2006503633.tif 000003
2006503633.tif 000004
2006503633.tif 000005
【国際調査報告】
2006503633.tif 000006
2006503633.tif 000007
2006503633.tif 000008
2006503633.tif 000009
2006503633.tif 000010